(57)【要約】【課題】スイッチ付きイヤホンマイクの釦操作によって、カメラ機能あるいはボイスレコーダ機能を操作することのできる情報携帯端末を提供する。【解決手段】スイッチ付きイヤホンと無線通信手段を有する携帯端末本体とからなる外部スイッチ機能付き情報携帯端末において、スイッチ付きイヤホンは釦操作によって釦のスイッチをＯＮ／ＯＦＦにする釦を備え、携帯端末本体にカメラと、カメラで撮影した画像データを記憶する記憶手段と、カメラを操作し撮影した画像データを記憶手段に蓄積させるカメラ制御手段と、釦のスイッチのＯＮ／ＯＦＦを検出し、釦操作に従いカメラ制御手段または無線通信手段を制御する全体制御手段を備える。【選択図】図１
2006074430.tif 000002
【特許請求の範囲】
【請求項１】
スイッチ付きイヤホンと無線通信手段を有する携帯端末本体とからなる外部スイッチ機能付き情報携帯端末において、前記携帯端末本体にカメラと、前記カメラで撮影した画像データを記憶する記憶手段と、前記カメラを操作し撮影した画像データを前記記憶手段に蓄積させるカメラ制御手段を設け、前記スイッチ付きイヤホンのスイッチにより前記カメラ制御手段を制御するよう構成したことを特徴とする外部スイッチ機能付き情報携帯端末。
【請求項２】
スイッチ付きイヤホンと無線通信手段を有する携帯端末本体とからなる外部スイッチ付き情報携帯端末において、前記携帯端末本体はマイクから入力される音声を録音する録音機能と再生機能を有するボイスレコーダと、前記ボイスレコーダで録音した音声データを記憶する記憶手段を設け、前記スイッチ付きイヤホンのスイッチにより前記ボイスレコーダを制御するよう構成したことを特徴とする外部スイッチ機能付き情報携帯端末。
【請求項３】
請求項１記載の外部スイッチ機能付き情報端末において、前記無線通信手段を有する携帯端末本体に前記カメラを設けるとともに、
マイクから入力される音声を録音する録音機能と再生機能を有するボイスレコーダと、前記ボイスレコーダで録音した音声データを記憶する記憶手段とを設け、
前記スイッチ付きイヤホンのスイッチにより前記カメラ制御手段または前記ボイスレコーダを制御するよう構成したことを特徴とする外部スイッチ機能付き情報携帯端末。
【請求項４】
前記スイッチ付きイヤホンにより動作モードを切り替えるように構成したことを特徴とする請求項１から請求項３のいずれかに記載の外部スイッチ機能付き情報携帯端末。
【発明の詳細な説明】
【技術分野】
【０００１】
本発明はカメラ機能またはボイスレコーダ機能を搭載した携帯型電話機等に適用可能な外部スイッチ付き情報携帯端末に関するものである。
【背景技術】
【０００２】
従来の音声通話を主体とする携帯型電話機の使用において、発着信の操作方法として端末本体に備えられたキーを操作する以外に、スイッチ付きイヤホンマイクを端末に装着し、このイヤホンマイクのイヤホンコードの中ほどにある釦を操作する方法が示されている（例えば、特許文献１参照）。このような従来の端末において、発着信の操作は図１５に示すようなフローチャートで行うことができる。図１５で、ステップＳ６１で釦の押下を検出するとステップＳ６２に、しないとステップＳ６３にいく。ステップＳ６２で通話の発信を開始するための発呼動作を起動し、発呼動作起動後はステップＳ６４で発信し通話を行う。ステップＳ６３では待ち受けとなり、着信があると着信の通話を行う。ステップＳ６４で通話が終わるとステップＳ６５で釦の押下を検出し、検出した場合は終了する。
【０００３】
一方で従来のカメラ機能またはボイスレコーダ機能を搭載した携帯型電話機は、カメラ機能あるいはボイスレコーダ機能を操作する手段として端末本体に備えられたキー操作で行っている（例えば、特許文献２参照）。
【特許文献１】特開２００１−３０８９７９号公報（第１７頁、図１）
【特許文献２】特開２００４−４０４５２号公報（第１４頁、図１）
【発明の開示】
【発明が解決しようとする課題】
【０００４】
しかしながら、前記従来の特許文献１の構成では、スイッチ付きイヤホンマイクは携帯電話本来の機能である送受話を操作するのみであり、カメラ機能などの送受話以外の操作は携帯端末本体で行う必要があった。そのため、カメラを搭載する前記従来の特許文献２の構成では、カメラの撮影時に携帯端末本体の釦を押すため手ぶれが生じてしまうという問題があった。従来のカメラでは分解能が低くいため、このような手ぶれ問題はあまり問題視されていなかった。ただし、携帯端末に搭載されるカメラは最近急速に高画質化が進み、高画質の画像が携帯端末のカメラ撮影で容易に得られるようになると、手ぶれによるピンぼけが画質劣化として画像に及ぼす影響が大きくなり問題となっている。また、ボイスレコーダもイヤホンマイクを装着しての録音にイヤホンマイクに備えられている釦で録音の操作ができず、携帯端末本体の釦操作で行うため操作が煩雑であるなどという問題があった。
【０００５】
本発明は、従来の問題を解決するためになされたもので、スイッチ付きイヤホンマイクの釦操作により、携帯端末本体の釦を押さない遠隔操作でカメラ撮影を行うことを可能とし、これにより手ぶれ問題を解消し、また、スイッチ付きイヤホンマイクの釦操作でボイスレコーダ機能を操作することにより、ボイスレコーダを手元で容易に操作することができる携帯端末を提供することを目的とする。
【課題を解決するための手段】
【０００６】
前記従来の課題を解決するために、本発明の外部スイッチ機能付き情報携帯端末は、スイッチ付きイヤホンと無線通信手段を有する携帯端末本体とからなり、携帯端末本体にカメラと、カメラで撮影した画像データを記憶する記憶手段と、カメラを操作し撮影した画像データを記憶手段に蓄積させるカメラ制御手段を設け、スイッチ付きイヤホンのスイッチによりカメラ制御手段を制御するよう構成した。この構成により、スイッチ付きイヤホ
ンのスイッチによって、携帯端末本体に搭載されたカメラの撮影機能を操作し、手ぶれを解消することができる。
【０００７】
また、本発明の外部スイッチ機能付き情報携帯端末は、スイッチ付きイヤホンと無線通信手段を有する携帯端末本体とからなり、携帯端末本体はマイクから入力される音声を録音する録音機能と再生機能を有するボイスレコーダと、ボイスレコーダで録音した音声データを記憶する記憶手段を設け、スイッチ付きイヤホンのスイッチによりボイスレコーダを制御するよう構成した。この構成により、スイッチ付きイヤホンマイクの釦操作によって、携帯端末本体に搭載されたボイスレコーダの録音と再生機能を操作することができる。
【０００８】
さらに、本発明の外部スイッチ機能付き情報携帯端末は、スイッチ付きイヤホンと無線通信手段を有する携帯端末本体とからなり、携帯端末本体にカメラを設けるとともに、マイクから入力される音声を録音する録音機能と再生機能を有するボイスレコーダと、ボイスレコーダで録音した音声データを記憶する記憶手段とを設け、スイッチ付きイヤホンのスイッチによりカメラ制御手段またはボイスレコーダを制御するよう構成した。この構成により、スイッチ付きイヤホンのスイッチによってカメラによる撮影機能の操作と、ボイスレコーダによる録音と再生機能の操作を行うことができる。
【０００９】
さらに、本発明の外部スイッチ機能付き情報携帯端末は、スイッチ付きイヤホンにより動作モードを切り替えるように構成した。この構成により、スイッチ付きイヤホンの切り替えスイッチによってカメラによる撮影と、ボイスレコーダによる録音を切り替えることができる。
【発明の効果】
【００１０】
本発明の外部スイッチ機能付き情報携帯端末によれば、携帯端末に接続された外部スイッチの釦操作によって携帯型端末本体に搭載のカメラあるいはボイスレコーダの機能を操作することができ、携帯端末本体に搭載されたカメラにより撮影する際、携帯端末のシャッターボタンを押さなくてすむため、手ぶれのないカメラ撮影が可能となる。また、ボイスレコーダを利用する録音操作を手元で行うことができ、本体操作による余計な雑音を拾うことのない容易な録音操作を可能とする。
【発明を実施するための最良の形態】
【００１１】
以下、本発明を実施するための最良の形態について、図面を用いて説明する。
【００１２】
（実施の形態１）
本発明の第１の実施の形態の外部スイッチ機能付き情報携帯端末を図１から図５を用いて説明する。図１は、本実施の形態の外部スイッチ機能付き情報携帯端末の構成を示したもので、１は情報携帯端末の本体、１０１はカメラ、１０２はカメラ１０１の撮影を制御するカメラ制御手段、１０３はカメラ１０１のファインダを表示する表示手段、１０４はカメラ１０１で撮影された画像データを記憶する記憶手段、１０５は本体１の機能を操作するキー操作部、１０６は本体１で無線通話を行うための音声の変調復調を行う無線通話制御手段、１０７はマイクおよびスピーカの音声の制御を行う音声処理部、１０８は音声を入力するマイク、１０９は音声を出力するスピーカ、１１０は釦１１の操作によりカメラ制御手段１０２と無線通話制御手段を制御する全体制御手段、２はスイッチ付イヤホンマイク、３はスイッチ付イヤホンマイクのリモコン、１１はリモコン３でスイッチのＯＮ／ＯＦＦを行う釦、１２はリモコン３から音声を入力するマイク、１３はスイッチ付イヤホンマイク２で音声を出力するイヤホンである。
【００１３】
図１の本実施の形態の外部スイッチ機能付き情報携帯端末は、まず本体１のキー操作部
１０５の操作により発着呼の通話機能あるいはカメラ機能を選択しておき、リモコン３の釦１１の操作であらかじめ選択した機能の起動、操作、終了を行うようにしたものである。機能の選択は、本体１のキー操作部１０５からの操作で全体制御手段１１０が行う。
【００１４】
図２は図１で構成された本実施の形態の外部スイッチ機能付き情報携帯端末の外観図である。図２で示される部分で、図１と同じあるいは該当するものについては図１と同一番号を付している。図２で、スイッチ付イヤホンマイク２は本体１にイヤホンジャックなどにより接続されており、イヤホン１３をコード先端に、リモコン３をコードの途中に有している。この構成で、リモコン３の釦１１を押すと釦１１のスイッチがＯＮとなり、釦１１を押さない場合は釦１１のスイッチがＯＦＦとなる。
【００１５】
以下、図３のフローチャートを用いて動作を説明する。図３で、最初に、ステップＳ１で通話機能を選択するか判定し、選択する場合はステップＳ２に、選択しない場合はステップＳ３に行く。ステップＳ２では機能の選択を通話に設定しステップＳ５に行く。ステップＳ３ではカメラ機能を選択するか判定し、選択する場合はステップＳ４に、選択しない場合はステップＳ１に戻る。ステップＳ４では機能の選択をカメラに設定しステップＳ５に行く。ステップＳ５ではステップＳ２またはステップＳ４で設定した機能の選択を決定するか判定し、決定する場合は終了し、決定しない場合はステップＳ１に戻る。以上の機能の選択で、カメラを選択した場合、釦１１の操作により釦１１のスイッチをＯＮ／ＯＦＦさせ、全体制御手段１１０がそのＯＮ／ＯＦＦを検知し、釦１１操作に従いカメラ制御手段１０２を制御してカメラ１０１による撮影と画像データの蓄積を行う。通話を選択した場合、釦１１の操作により釦１１のスイッチをＯＮ／ＯＦＦさせ、全体制御手段１１０がそのＯＮ／ＯＦＦを検知し、釦１１操作に従い無線通話制御手段１０６を制御して音声処理部１０７を用いて通話による送受信を行う。
【００１６】
図４は、カメラが選択されている場合に釦１１の操作で全体制御手段１１０が行うカメラ制御の動作を示したフローチャートである。以下、図４を用いて、釦１１の操作による全体制御手段１１０の動作を説明する。ステップＳ１１でリモコン３の釦１１が長押しされたか検出し、検出するとステップＳ１２に、検出しないとステップＳ１１に戻る。ステップ１２でカメラを起動する。カメラ起動後は、ステップＳ１３で釦１１が短く押下されたか検出し、検出するとステップＳ１４に、検出しないとステップＳ１５にいく。ステップＳ１４ではカメラ制御部１０２を制御しカメラ１０１のシャッターを押して撮影を行う。ステップＳ１５では釦１１が長押しされたか検出し、検出するとステップＳ２０でカメラを終了する。ステップＳ１４で撮影後、ステップＳ１６で釦１１が短く１回押下されたか検出し、検出するとステップＳ１７に、検出しないとステップＳ１８で釦１１が短く２回押下されたか検出し、検出するとステップＳ１９に行く。ステップＳ１７では撮影画像を記憶手段１０４に格納し、ステップＳ１３に戻る。ステップＳ１９ではステップＳ１４で撮影した撮影画像を削除し、ステップＳ１３に戻る。なお、通話が選択された場合の釦１１による通話操作は従来の操作と同様に、例えば図１５のフローチャートを利用して行うことができる。
【００１７】
以上のように、本体１であらかじめカメラを選択していた場合は、釦１１の操作によりカメラを起動し、撮影と、画像の格納と、カメラを終了することができる。
また、通話が選択されている場合は、発信と受信の操作をリモコン３の釦１１を操作して行うことができる。
【００１８】
（実施の形態２）
本発明の第２の実施の形態の外部スイッチ機能付き情報携帯端末を図５から図８を用いて説明する。本実施の形態の外部スイッチ機能付き情報携帯端末において、実施の形態１と同じ内容については、同一番号を付して説明を省略する。図５は、本実施の形態の情報
携帯電話装置の構成を示したもので、１１１はボイスレコーダで、マイク１０８または１２から入力した音声を録音する。１０４は記憶手段で、ボイスレコーダ１１１で録音された音声データを記憶する。１１０は全体制御手段で、釦１１の操作によりボイスレコーダ１１１と無線通話制御手段１０６を制御する。図５の本実施の形態の外部スイッチ機能付き情報携帯端末は、実施の形態１におけるカメラ機能が搭載されないで、ボイスレコーダ機能を搭載したものである。まず本体１のキー操作部１０５の操作により発着呼の通話機能あるいはボイスレコーダ機能を選択しておき、リモコン３の釦１１の操作であらかじめ選択した機能の起動、操作、終了を行うようにしたものである。機能の選択は図６に示すフローチャートに従って行われる。なお、図３のフローチャートと同じ内容のステップについては、同じ番号を付して説明を省略する。ステップＳ１で通話機能を選択するか判定し、選択する場合はステップＳ２に、選択しない場合はステップＳ６に行く。ステップＳ６ではボイスレコーダ機能を選択するか判定し、選択する場合はステップＳ７に、選択しない場合はステップＳ１に戻る。ステップＳ７では機能の選択をボイスレコーダに設定しステップＳ５に行く。ステップＳ５ではステップＳ２またはステップＳ７で設定した機能を決定するか判定し、決定する場合は終了し、決定しない場合はステップＳ１に戻る。
【００１９】
以上の機能の選択で、ボイスレコーダを選択した場合、釦１１の操作により釦１１のスイッチをＯＮ／ＯＦＦさせ、全体制御手段１１０がそのＯＮ／ＯＦＦを検知し、ＯＮ／ＯＦＦ操作に従いボイスレコーダ処理部１１１を制御してマイク１０８または１１２から入力された音声を記録する。
【００２０】
図７は、本実施の形態の外部スイッチ機能付き情報携帯端末で、ボイスレコーダが選択されている場合に釦１１の操作で全体制御手段１１０が行う音声録音の動作を示したフローチャートである。以下、図７を用いて、釦１１の操作による全体制御手段１１０の動作を説明する。ステップＳ３１で釦１１が長押しされたか検出し、検出するとステップＳ３２にいく。ステップ３２でボイスレコーダを起動する。ボイスレコーダ起動後は、ステップＳ３４で釦１１が短く押されたか検出し、検出するとステップＳ３５に、検出しないとステップＳ３６に行く。ステップＳ３５ではボイスレコーダ１１１を制御しマイク１０８または１２から入力される音声の記録を開始する。ステップＳ３６では釦１１の長押しを検出し、検出するとステップＳ３７でボイスレコーダの機能を終了し、検出しないとステップＳ３４に戻る。ステップＳ３５で録音開始後、ステップＳ３８で釦１１が短く押されたか検出し、検出するとステップＳ３９にいく。ステップＳ３９では録音を一時停止し、ステップＳ３４に戻る。録音の再開は、ステップ３４で釦１１を短く押すことにより行われる。本実施の形態の外部スイッチ機能付き情報携帯端末では、ボイスレコーダ１１１の再生機能を釦１１で操作して制御することもできる。ボイスレコーダ１１１の再生機能を利用する場合は、図７のステップＳ３３で釦１１が短く押されたか検出し結合子Ａにいくことで行う。結合子Ａは図８のフローチャートのステップＳ４１に結合されている。
【００２１】
図８は、ボイスレコーダ１１１の再生機能を操作する操作手順を示したもので、釦１１の操作により全体制御手段１１０の制御により行う。図８では結合子Ａから開始し、ステップＳ４１で再生が開始される。再生開始後はステップＳ４２で釦１１が短く押されたか検出し、検出するとステップＳ４３で再生を一時停止し、しないとステップＳ４４で釦１１の長押しを検出し、検出するとステップＳ４７で再生を終了し、検出しないとステップＳ４２に戻る。ステップＳ４３では再生を一時停止するとステップＳ４５で釦１１が短く押されたか検出し、検出するとステップＳ４１に戻り再生を再開する。検出しないとステップＳ４６で釦１１の長押しを検出し、検出するとＳ４７で再生を終了し、検出しないとステップＳ４５に戻る。以上の手順により、ボイスレコーダ１１１で録音した音声を釦１１の操作で再生することができる。
【００２２】
本実施の形態２における図６のステップＳ２により通話が選択された場合の釦１１によ
る通話操作は、従来の操作と同様に、例えば図１５のフローチャートを利用して行うことができる。
【００２３】
本実施の形態の外部スイッチ機能付き情報携帯端末の外観は既に示した図２と同じであり、スイッチ付きイヤホンマイク２の構成とリモコン３の釦１１の機能は、実施の形態１と同じである。
【００２４】
以上のように、本体１であらかじめボイスレコーダを選択していた場合は、釦１１の操作によりボイスレコーダを起動し、録音開始と、録音の一時停止と、録音再開と、再生開始と、再生の一時停止と、再生の一時停止からの再開と、ボイスレコーダの終了を行うことができる。また、通話が選択されている場合は、発信と受信の操作をリモコン３の釦１１を操作して行うことができることは、実施の形態１と同様である。
【００２５】
（実施の形態３）
本発明の第３の実施の形態の外部スイッチ機能付き情報携帯端末を図９と図１０を用いて説明する。本実施の形態の外部スイッチ機能付き情報携帯端末において、実施の形態１と同じ内容については、同一番号を付して説明を省略する。図９は、本実施の形態の外部スイッチ機能付き情報携帯端末の構成を示したもので、実施の形態１の外部スイッチ機能付き情報携帯端末の構成にボイスレコーダ機能を加えて搭載したものである。図９で、記憶手段１０４はカメラ制御手段１０２で撮影した画像データとボイスレコーダ１１１で録音された音声データを記憶する。図９の本実施の形態の外部スイッチ機能付き情報携帯端末は、まず本体１のキー操作部１０５の操作により発着呼の通話機能あるいはカメラ機能、あるいはボイスレコーダ機能を選択しておき、リモコン３の釦１１の操作であらかじめ選択した機能の起動、操作、終了を行うようにしたものである。
【００２６】
機能の選択は図１０に示すフローチャートに従って行われる。ステップＳ１では通話機能を選択するか判定し、選択する場合はステップＳ２で機能の選択を通話に設定し、ステップＳ３ではカメラ機能を選択するか判定し、選択する場合はステップＳ４で機能の選択をカメラに設定し、ステップＳ６ではボイスレコーダ機能を選択するか判定し、選択する場合はステップＳ７で機能の選択をボイスレコーダに設定する。ステップＳ５ではステップＳ２またはステップＳ４またはステップＳ７で設定した機能の選択を決定するか判定し、決定する場合は終了し、しない場合はステップＳ１に戻る。
【００２７】
以上の機能の選択で、通話を選択した場合の釦１１の操作による送受信操作は、従来の操作と同様に、例えば図１５のフローチャートを利用して行うことができる。また、カメラを選択した場合の釦１１の操作によるカメラの操作は、図４で示すフローチャートにしたがって行われる。また、ボイスレコーダを選択した場合の釦１１の操作によるボイスレコーダの操作は、図７および図８で示すフローチャートにしたがって行われる。
【００２８】
本実施の形態の外部スイッチ機能付き情報携帯端末の外観は既に示した図２と同じであり、釦１１の操作は釦１１を押すことで行われるのは、実施の形態１と同じである。
【００２９】
（実施の形態４）
本発明の第４の実施の形態の外部スイッチ機能付き情報携帯端末を図１１から図１４を用いて説明する。本実施の形態の外部スイッチ機能付き情報携帯端末において、実施の形態３と同じ内容については、同一番号を付して説明を省略する。図１は、本実施の形態の外部スイッチ機能付き情報携帯端末の構成を示したもので、１４はカメラ機能、ボイスレコーダ機能を切り替える切り替え釦である。
【００３０】
図１１の本実施の形態の外部スイッチ機能付き情報携帯端末は、あらかじめ本体１のキ
ー操作部１０５の操作により発着呼の通話機能あるいはカメラ機能、あるいはボイスレコーダ機能を図１０に示すフローチャートに従って選択しておき、図１２で示す、リモコン３の釦１１の操作であらかじめ選択した機能の起動、操作、終了を行うことは、実施の形態３と同じである。
【００３１】
本実施の形態では、カメラ機能の操作中に切り替え釦１４の操作でボイスレコーダ機能に切り替えることと、ボイスレコーダ機能の操作中に切り替え釦１４の操作でカメラに切り替えることが可能である。
【００３２】
本実施の形態のカメラ操作のフローチャートを図１３に、ボイスレコーダ操作のフローチャートを図１４に示す。図１３で、ステップＳ２１からＳ３０は図５と同じである。カメラ機能の操作中にボイスレコーダに切り替える場合は、ステップＳ２１で切り替え釦１４の押下を検出し、検出するとステップＳ２２でカメラを終了し、結合子Ｂにいき、検出しないとステップＳ１３にもどる。結合子Ｂは図１４のボイスレコーダ１１１を起動するステップＳ３２から開始され、ボイスレコーダが起動する。以上の動作でカメラが終了し、ボイスレコーダに切り替わる。図１４で、ステップＳ３１からＳ３９は図８と同じである。ボイスレコーダの操作中にカメラに切り替える場合は、ステップＳ４８で切り替え釦１４の押下を検出し、検出するとステップＳ４９でボイスレコーダを終了し、結合子Ｃにいき、検出しないとステップＳ３４にもどる。結合子Ｃは図１３のカメラを起動するステップＳ１２から開始され、カメラが起動する。以上の動作でボイスレコーダが終了し、カメラに切り替わる。
【００３３】
図１２は図１１で構成された本実施の形態の外部スイッチ機能付き情報携帯端末で用いるスイッチ付きイヤホンマイク２のリモコン３の外観図である。図１２で示される部分で、図１１と同じあるいは該当するものについては図１１と同一番号を付している。図１２で、リモコン３には釦１１のほかに切り替え釦１４が追加されている。この構成で、リモコン３の切り替え釦１４を押すと切り替え釦１４のスイッチがＯＮとなり、切り替え釦１４を押さない場合は切り替え釦１４のスイッチがＯＦＦとなる。
【００３４】
以上の機能の選択で、通話を選択した場合の釦１１の操作による送受信操作は、従来の操作と同様に、例えば図１５のフローチャートを利用して行うことができる。また、カメラを選択した場合の釦１１の操作によるカメラの操作は、図４で示すフローチャートにしたがって行われる。また、ボイスレコーダを選択した場合の釦１１の操作によるボイスレコーダの操作は、図７と図８で示すフローチャートにしたがって行われる。
【産業上の利用可能性】
【００３５】
このように本発明においては、携帯端末に接続されたスイッチ付きイヤホンマイクの釦操作により携帯電話のカメラを遠隔操作でき、手ぶれのない撮影を可能であり、また、携帯端末のボイスレコーダを遠隔操作することにより手元による録音操作が可能となり、携帯電話はもとよりパーソナルコンピュータやＰＤＡなどの携帯端末にも適用することができる。
【図面の簡単な説明】
【００３６】
【図１】本発明の実施の形態１における情報携帯端末の構成図
【図２】本発明の実施の形態１における情報携帯端末の外観図
【図３】本発明の実施の形態１における情報携帯端末の機能選択を示すフローチャート
【図４】本発明の実施の形態１における情報携帯端末のカメラ操作のフローチャート
【図５】本発明の実施の形態２における情報携帯端末の構成図
【図６】本発明の実施の形態２における情報携帯端末の機能選択を示すフローチャート
【図７】本発明の実施の形態２における情報携帯端末のボイスレコーダの録音操作のフローチャート
【図８】本発明の実施の形態２における情報携帯端末のボイスレコーダの再生操作のフローチャート
【図９】本発明の実施の形態３における情報携帯端末の構成図
【図１０】本発明の実施の形態３における情報携帯端末の機能選択を示すフローチャート
【図１１】本発明の実施の形態４における情報携帯端末の構成図
【図１２】本発明の実施の形態４における情報携帯端末のリモコン外観図
【図１３】本発明の実施の形態４における情報携帯端末のカメラ操作のフローチャート
【図１４】本発明の実施の形態２における情報携帯端末のボイスレコーダ操作のフローチャート
【図１５】従来の情報携帯端末のスイッチ付きイヤホンマイクを用いた通話操作のフローチャート
【符号の説明】
【００３７】
１  本体
２  スイッチ付きイヤホンマイク
３  リモコン
１１  釦
１２  マイクロフォン
１３  イヤホン
１４  切り替え釦
１０１  カメラ
１０２  カメラ制御手段
１０３  表示手段
１０４  記憶手段
１０５  キー操作部
１０６  無線通話制御手段
１０７  音声処理部
１０８  マイクロフォン
１０９  スピーカ
１１０  全体制御手段
１１１  ボイスレコーダ
【図１】
2006074430.tif 000003
【図２】
2006074430.tif 000004
【図３】
2006074430.tif 000005
【図４】
2006074430.tif 000006
【図５】
2006074430.tif 000007
【図６】
2006074430.tif 000008
【図７】
2006074430.tif 000009
【図８】
2006074430.tif 000010
【図９】
2006074430.tif 000011
【図１０】
2006074430.tif 000012
【図１１】
2006074430.tif 000013
【図１２】
2006074430.tif 000014
【図１３】
2006074430.tif 000015
【図１４】
2006074430.tif 000016
【図１５】
2006074430.tif 000017